(57)【要約】【課題】遊技領域まで到達することなく戻ってきた遊技球による発射レール先端のバリや歪みの発生を防止し、遊技球の安定した発射が可能な弾球遊技機の提供を目的とする。【解決手段】発射装置５３から遊技球誘導レールへ向けて発射された遊技球のうち遊技領域へ到達することなく遊技球誘導レールから発射装置５３側へ向けて転動してくる遊技球を回収するための回収口６６１Ａ，６６１Ｂを遊技球誘導レールと発射レール６２１間に有し、発射レール６２１には遊技球の保持可能な溝部６２７を長さ方向に沿って先端まで形成し、発射レール６２１の先端と回収口６６１Ａ間には、遊技球誘導レールから発射装置５３側へ向けて転動してくる遊技球が発射レール先端６２１Ａの遊技球位置より下方の発射レール６２１の部分に衝突するのを防ぐ防球壁６６７を設けた。【選択図】図８
2010051833.tif 000002
【特許請求の範囲】
【請求項１】
遊技球誘導レールで囲まれた遊技領域を有する遊技盤と、
遊技球を発射する発射装置と、
を備え、前記発射装置から発射された遊技球が前記遊技球誘導レールにより前記遊技領域へ誘導可能とされた弾球遊技機において、
前記発射装置は、遊技球の発射方向を前記遊技球誘導レールへ向ける発射レールと、前記発射レール上の遊技球を弾発発射させる槌部材とを少なくとも有し、
前記発射装置から前記遊技球誘導レールへ向けて発射された遊技球のうち前記遊技領域へ到達することなく前記遊技球誘導レールから前記発射装置側へ向けて転動してくる遊技球を回収するための回収口を前記遊技球誘導レールと前記発射レール間に有し、
前記発射レールは遊技球を保持可能な溝部が長さ方向に沿って先端まで形成され、
前記発射レールの先端と前記回収口間には、前記遊技球誘導レールから前記発射装置側へ向けて転動してくる遊技球が前記発射レール先端の遊技球位置より下方の前記発射レールの部分に衝突するのを防ぐ防球壁が設けられていることを特徴とする弾球遊技機。
【請求項２】
前記防球壁は、前記発射レールから間隔を開けて設けられた下部保護壁と、前記下部保護壁の上端から前記発射レールの先端に略接するように形成された上部保護壁とを有することを特徴とする請求項１に記載の弾球遊技機。
【請求項３】
前記防球壁は、前記遊技球誘導レールから前記発射装置側へ向けて転動してくる遊技球を前記回収口へ誘導する流路の壁部の一部を兼ねることを特徴とする請求項１または２に記載の弾球遊技機。
【請求項４】
前記遊技盤を保持可能な前面枠体を備え、
前記前面枠体には前記発射レールの幅方向一側を固定した板状のベース部材と前記回収口内への遊技球の流路および前記回収口に進入した遊技球の流路を形成する流路部材が取り付けられ、
前記流路部材は前記前面枠体における流路部材取付面と対向する対向面を有し、前記遊技球の流路が前記前面枠体の流路部材取付面と前記対向面とを前記流路の側壁とする樋状に形成され、
前記発射レールの溝部は遊技球が１球分通過可能な幅で構成されると共に遊技球と点接触する壁部で構成され、
前記発射レールは先端が前記ベース部材の縁よりも内側に位置するように前記ベース部材に取り付けられ、
遊技球が前記ベース部材の縁と前記発射レールの先端間に位置して前記発射レールの先端と接触するときには遊技球の両側に前記ベース部材と前記流路部材の対向面が位置して前記発射レールの幅方向に沿う遊技球の位置を規制し、前記発射レールの溝部の先端における遊技球との接触位置が、前記発射レールの先端へ向けて発射された遊技球が前記発射レールの溝部を転動する際の前記溝部の壁部における遊技球との接触部位の延長上位置とならないように前記ベース部材と前記流路部材が配置されていることを特徴とする請求項１から３の何れか一項に記載の弾球遊技機。
【請求項５】
前記発射レールの溝部は幅方向に前記壁部を略Ｖ字状に配置した略Ｖ字状とされて前記壁部上を遊技球が転動可能に構成されていることを特徴とする請求項１から４の何れか一項に記載の弾球遊技機。
【請求項６】
前記防球壁の上端は、発射された遊技球が前記発射レール上を前記発射レールの先端へ向けて転動する際における遊技球の最下端部の軌跡の延長上位置またはそれより下方に位置していることを特徴とする請求項１から５の何れか一項に記載の弾球遊技機。
【発明の詳細な説明】
【技術分野】
【０００１】
本発明は、遊技球を発射レールから遊技球誘導レールへ向けて発射し、遊技領域へ誘導する弾球遊技機に関する。
【背景技術】
【０００２】
従来、パチンコ遊技機等の弾球遊技機においては、遊技球誘導レールで囲まれた遊技領域を有する遊技盤と遊技球を発射する発射装置とを備え、発射装置から発射された遊技球を遊技球誘導レールにより遊技領域へ誘導可能にしたものがある。発射装置は、遊技球の発射方向を遊技球誘導レールへ向ける発射レールと、発射レール上の遊技球を弾発発射させる槌部材とを少なくとも有し、発射させた遊技球を発射レールから遊技球誘導レールを経て遊技領域へ到達可能にしている。また、遊技球の発射強度が弱い場合などには遊技球が遊技領域まで到達せずに戻ってくる場合があり、戻ってきた遊技球を回収するために遊技球誘導レールと発射レールの間隔を開けて、両レール間に遊技球回収部を形成している。
【先行技術文献】
【特許文献】
【０００３】
【特許文献１】特開２００５−２６１６４０号公報
【発明の概要】
【発明が解決しようとする課題】
【０００４】
しかしながら、従来の弾球遊技機にあっては、遊技領域まで到達せずに戻ってきた遊技球が遊技球回収部を跳び越えて発射レールの先端に衝突したり、次に発射された遊技球と衝突して発射レールに遊技球が当たったりして発射レールの先端にバリや歪み等が発生し、遊技球の安定した発射の妨げになる不具合が発生するおそれがあった。
【０００５】
本発明は、前記の点を解決するためになされたものであって、遊技領域まで到達することなく戻ってきた遊技球による発射レール先端のバリや歪みの発生を防止し、遊技球の安定した発射が可能な弾球遊技機の提供を目的とする。
【課題を解決するための手段】
【０００６】
請求項１の発明は、遊技球誘導レールで囲まれた遊技領域を有する遊技盤と、遊技球を発射する発射装置と、を備え、前記発射装置から発射された遊技球が前記遊技球誘導レールにより前記遊技領域へ誘導可能とされた弾球遊技機において、前記発射装置は、遊技球の発射方向を前記遊技球誘導レールへ向ける発射レールと、前記発射レール上の遊技球を弾発発射させる槌部材とを少なくとも有し、前記発射装置から前記遊技球誘導レールへ向けて発射された遊技球のうち前記遊技領域へ到達することなく前記遊技球誘導レールから前記発射装置側へ向けて転動してくる遊技球を回収するための回収口を前記遊技球誘導レールと前記発射レール間に有し、前記発射レールは遊技球を保持可能な溝部が長さ方向に沿って先端まで形成され、前記発射レールの先端と前記回収口間には、前記遊技球誘導レールから前記発射装置側へ向けて転動してくる遊技球が前記発射レール先端の遊技球位置より下方の前記発射レールの部分に衝突するのを防ぐ防球壁が設けられていることを特徴とする。
【０００７】
請求項２の発明は、請求項１において、前記防球壁は、前記発射レールから間隔を開けて設けられた下部保護壁と、前記下部保護壁の上端から前記発射レールの先端に略接するように形成された上部保護壁とを有することを特徴とする。
【０００８】
請求項３の発明は、請求項１または２において、前記防球壁は、前記遊技球誘導レールから前記発射装置側へ向けて転動してくる遊技球を前記回収口へ誘導する流路の壁部の一部を兼ねることを特徴とする。
【０００９】
請求項４の発明は、請求項１から３の何れか一項において、前記遊技盤を保持可能な前面枠体を備え、前記前面枠体には前記発射レールの幅方向一側を固定した板状のベース部材と前記回収口内への遊技球の流路および前記回収口に進入した遊技球の流路を形成する流路部材が取り付けられ、前記流路部材は前記前面枠体における流路部材取付面と対向する対向面を有し、前記遊技球の流路が前記前面枠体の流路部材取付面と前記対向面とを前記流路の側壁とする樋状に形成され、前記発射レールの溝部は遊技球が１球分通過可能な幅で構成されると共に遊技球と点接触する壁部で構成され、前記発射レールは先端が前記ベース部材の縁よりも内側に位置するように前記ベース部材に取り付けられ、遊技球が前記ベース部材の縁と前記発射レールの先端間に位置して前記発射レールの先端と接触するときには遊技球の両側に前記ベース部材と前記流路部材の対向面が位置して前記発射レールの幅方向に沿う遊技球の位置を規制し、前記発射レールの溝部の先端における遊技球との接触位置が、前記発射レールの先端へ向けて発射された遊技球が前記発射レールの溝部を転動する際の前記溝部の壁部における遊技球との接触部位の延長上位置とならないように前記ベース部材と前記流路部材が配置されていることを特徴とする。
【００１０】
請求項５の発明は、請求項１から４の何れか一項において、前記発射レールの溝部は幅方向に前記壁部を略Ｖ字状に配置した略Ｖ字状とされて前記壁部上を遊技球が転動可能に構成されていることを特徴とする。
【００１１】
請求項６の発明は、請求項１から５の何れか一項において、前記防球壁の上端は、発射された遊技球が前記発射レール上を前記発射レールの先端へ向けて転動する際における遊技球の最下端部の軌跡の延長上位置またはそれより下方に位置していることを特徴とする。
【発明の効果】
【００１２】
請求項１の発明によれば、遊技領域まで到達することなく戻ってきた遊技球が発射レール先端の遊技球位置より下方に衝突するのを低減させることが可能であり、遊技球の衝突により発射レールの先端が歪んだりバリを生じたりすることを低減させ、遊技球をより安定して発射させることが可能となる。
【００１３】
請求項２の発明によれば、下部保護壁を発射レールから間隔を開けて設けることにより遊技球が下部保護壁に衝突した際の衝撃を和らげることが可能となり、また上部保護壁を設けることにより、発射レールの先端に向けて飛球してくる遊技球を上部保護壁と衝突させて発射レールとは反対方向へ跳ね返すようにしたりして発射レールへの衝突を低減させることが可能となる。
【００１４】
請求項３の発明によれば、防球壁に衝突した遊技球を回収口に回収し易くなり、防球壁に衝突した遊技球が原因となる球詰まり等の不具合を防止することが可能となる。
【００１５】
請求項４の発明によれば、遊技球誘導レールから戻ってくる遊技球が発射レールの溝部の先端と接触することがあっても、接触位置は、発射された遊技球が発射レールの先端へ向けて発射レールの溝部を転動する際の溝部の壁部における遊技球との接触部位の延長上位置とならないようにされているため、遊技球の発射時に発射レールの溝部の壁部先端において遊技球が接触する部分（遊技球保持位置）に、遊技球誘導レールから戻ってくる遊技球と発射レールの衝突によるバリや歪みを生じるのを抑えることができ、発射された遊技球が発射レール先端のバリ等と干渉して安定した遊技球の発射が損なわれる不具合を防止することが可能となる。
【００１６】
請求項５の発明によれば、溝部が幅方向に壁部を略Ｖ字状に配置した略Ｖ字状とされて壁部上を遊技球が転動可能に構成されているため、容易な構成で遊技球を保持可能な発射レールを構成することができる。
【００１７】
請求項６の発明によれば、発射された遊技球が発射レール上を発射レールの先端へ向けて転動する際における遊技球の最下端部の軌跡の延長上位置またはそれより下方に防球壁の上端が位置しているため、遊技球の発射時に防球壁の上端と遊技球が衝突したり干渉したりすることがなく、安定した遊技球の発射が可能となる。
【図面の簡単な説明】
【００１８】
【図１】本発明の一実施例に係る弾球遊技機について遊技盤の釘を省略して示す正面図である。
【図２】同弾球遊技機の背面図である。
【図３】同弾球遊技機の分解斜視図である。
【図４】同弾球遊技機のガラス枠及び下側前面カバーを開放した状態を示す前面枠体の正面図である。
【図５】同弾球遊技機の前面枠体から球送り装置、発射ハンドルおよび操作部カバーを外した状態を示す斜視図である。
【図６】同弾球遊技機における球送り装置、発射ハンドルおよび操作部カバーを外した状態を示す前面枠体の正面図である。
【図７】図６のＡ−Ａ断面図である。
【図８】同弾球遊技機における発射装置の一部と流路部材の裏側斜視図である。
【図９】同弾球遊技機における流路部材と発射レールの上面図およびＢ部拡大図である。
【図１０】発射レールと防球壁の位置関係を示す発射レール先端側の図とＣ−Ｃ断面図である。
【図１１】発射装置の背面図である。
【図１２】発射装置の球送り装置を示す正面図である。
【図１３】発射装置の斜視図である。
【発明を実施するための形態】
【００１９】
以下添付の図面に基づき本発明の好適な実施形態を説明する。図１は本発明の一実施例に係る弾球遊技機について遊技盤の釘を省略して示す正面図、図２は同弾球遊技機の背面図、図３は同弾球遊技機の分解斜視図、図４は同弾球遊技機のガラス枠及び下側前面カバーを開放した状態を示す前面枠体の正面図、図５は同弾球遊技機の前面枠体から球送り装置、発射ハンドルおよび操作部カバーを外した状態を示す斜視図、図６は同弾球遊技機における球送り装置、発射ハンドルおよび操作部カバーを外した前面枠体の正面図、図７は図６のＡ−Ａ断面図、図８は同弾球遊技機における発射装置の一部と流路部材の裏側斜視図、図９は同弾球遊技機における流路部材と発射レールの上面図およびＢ部拡大図、図１０は発射レールと防球壁の位置関係を示す発射レール先端側の図とＣ−Ｃ断面図、図１１は発射装置の背面図、図１２は発射装置の球送り装置を示す正面図、図１３は発射装置の斜視図である。
【００２０】
図１から図３に示す弾球遊技機１は、遊技媒体として遊技球を用いるパチンコ遊技機であり、外枠Ｆ１内に機構板Ｆ２とその前面側に遊技盤３が収納配置されると共に外枠Ｆ１の前面側には前面枠体Ｆ３とガラス枠Ｇおよび下側カバー体Ｆ４が取り付けられ、前記ガラス枠Ｇのガラス面を通して遊技機前方の遊技者から前記遊技盤３の前面が透視可能となっている。前面枠体Ｆ３には開口窓部２１が形成され、前記開口窓部２１の裏側に前記遊技盤３が位置する。
【００２１】
前記遊技盤３の前面には、縁に遊技球誘導用の外側ガイドレール４及び内側ガイドレール５からなる遊技球誘導レール４Ａが略円形に立設され、前記遊技球誘導レール４Ａによって囲まれた遊技領域６の中心線上にその上部から下部に向かって順に特別図柄表示装置８、上側始動入賞口９、下側始動入賞口１０、特別電動役物である大入賞口１５、アウト口１７が配設されている。なお、内側ガイドレール５は遊技領域６における左側のみに設けられ、前記遊技球誘導レール４Ａにおける外側誘導レール４と内側ガイドレール５間の球誘導路を通ってきた遊技球が内側ガイドレール５の先端から遊技領域６内へ到達可能に構成されている。前記特別図柄表示装置８の左方下部には普通図柄表示装置４５が設けられ、その下方における遊技領域６の左右には、左袖入賞口２３と右袖入賞口２５、その下方には左落とし入賞口２７と右落とし入賞口２９がそれぞれ設けられている。また、前記下側始動入賞口１０の左側に普通図柄変動開始用ゲート１９が設けられている。前記種々の入賞口に遊技球が入賞すると所定数の遊技球が賞品球として払い出される。なお、後に詳述する大当たりになると大入賞口１５が開放され、遊技球が入賞し易い大当たり遊技（特別遊技）が実行される。
【００２２】
前記弾球遊技機１の前面側には、左サイドランプ３５ａ、右サイドランプ３５ｂからなるランプ装置が設けられ、払い出された遊技球を受けるための上側球受け皿３６、該上側球受け皿３６の飽和時に遊技球を受けるための下側球受け皿３７、効果音等を発するスピーカ３８（音声発生装置）、遊技者の発射操作に応じて遊技球を遊技領域６に向けて弾発発射する発射装置５３等がそれぞれ組み付けられている。符号５４発射装置５３の操作レバーである。前記操作レバー５４にはタッチスイッチが設けられ、遊技者が操作レバー５４を握ることにより発射装置の発射モータが駆動し、遊技球を弾発発射するようになっている。前記発射装置５３により発射された遊技球は、前記遊技盤３に立設された遊技球誘導レール４Ａを介して遊技領域６に誘導され、遊技領域６に誘導された遊技球は転動しつつ下方へ落下し、前記各装置及び各入賞口に入賞するか、或いは何処にも入賞しなければ前記アウト口１７から遊技盤３の裏側へ排出される。なお、前記下側球受け皿３７は前記下側カバー体Ｆ４に設けられている。以下、所要の各部についてさらに詳述する。
【００２３】
前記特別図柄表示装置８は文字又は図柄の少なくとも何れかを表示可能なものであって、液晶，ドットマトリックス若しくはＬＥＤ画像表示装置等の画像表示装置からなり、前面が遊技の演出用画像（図柄や文字など）を表示するための表示領域（表示画面）を構成している。前記特別図柄表示装置８は、前記遊技盤３の中央に形成されている開口部分に取り付けられている。
【００２４】
前記特別図柄表示装置８は、遊技の当たり外れを判定する当否判定手段による判定結果を表示可能とされている。本実施例の特別図柄表示装置８には左側に左特別図柄Ｔ１、中央に中特別図柄Ｔ２、右側に右特別図柄Ｔ３が、それぞれ変動表示及び停止表示可能とされている。また、前記特別図柄表示装置８には、前記特別図柄に加えて背景画像（キャラクタ，背景，文字等を含む。）が表示されることもあり、該背景画像が特別図柄の変動開始等の所定条件に起因して変動表示可能となっていてもよい。なお、この実施例における前記左特別図柄Ｔ１、中特別図柄Ｔ２、右特別図柄Ｔ３は、それぞれ『１，２，３，４，５，６，７，８』の８通りの図柄とされている。
【００２５】
前記普通図柄表示装置４５は液晶，ドットマトリックス若しくはＬＥＤ画像表示装置等の画像表示装置からなり、記号或いは絵（キャラクタ）等の小当たり判定用普通図柄を変動表示及び停止表示する。本実施例における普通図柄表示装置４５に変動及び停止表示される普通図柄は、『０，１，２，３，４，５，６，７，８，９』の１０通りの図柄とされている。
【００２６】
前記上側始動入賞口９は、上方が遊技球入球口として開口している。また、前記下側始動入賞口１０は上側始動入賞口９の真下に設けられ、２つの可動片１０ａ，１０ｂが背面の始動入賞口用ソレノイドによって略垂直で入賞し難い狭小開放状態と略Ｖ字形（逆ハの字形）の入賞し易い拡開開放状態間を変化可能に制御されている。前記下側始動入賞口１０の拡開開放は、前記普通図柄表示装置４５で普通図柄が変動した後特定の普通図柄で確定停止表示されて小当たり（普通図柄当たり）が成立した時に行われる。
【００２７】
また、前記上側始動入賞口９および下側始動入賞口１０の裏側（背面）には、前記上側始動入賞口９および下側始動入賞口１０に入賞（入球）した遊技球を検出する始動入賞口検出スイッチ（始動入賞口センサ）が入賞球用通路に設けられており、本実施例では、前記始動入賞口検出スイッチによる入賞球の検出が、大当たりの当否（遊技の当否）判定に対する起因及び前記特別図柄の変動表示開始に対する起因に設定されている。また、前記特別図柄表示装置８で特別図柄の変動表示中に、前記上側始動入賞口９および下側始動入賞口１０に遊技球が入賞しても、直ちに新たな特別図柄の変動表示を開始することができないため、始動入賞口検出スイッチによる遊技球検出数を予め設定された設定数まで特別図柄用保留球数として記憶して大当たりの当否（遊技の当否）判定及び特別図柄の変動表示を一旦保留し、順次大当たりの当否判定及び特別図柄の変動表示を行うことによって記憶されている特別図柄用保留球数の数を減らしている。なお、前記始動入賞口検出スイッチによる遊技球検出数が設定数まで記憶されている（すなわち特別図柄用最大保留球数となっている）時には、前記始動入賞口検出スイッチがそれ以上入賞遊技球を検出しても、保留球数としては記憶されない無効球とされ、その無効球については図柄の変動及び当否判定を行うことなく、入賞に対する賞球遊技球が所定数払い出される。また、本実施例では、前記特別図柄用保留球数に関して設定されている前記設定数（すなわち最大保留球数）は４個とされている。
【００２８】
前記普通図柄変動開始用ゲート１９は、前記普通図柄変動開始用ゲート１９の背面に設けられた普通図柄変動開始スイッチで普通図柄変動開始用ゲート１９を通過する遊技球を検出することによって前記普通図柄表示装置４５で普通図柄の変動を開始させるようになっている。また、前記普通図柄の変動表示中に、前記普通図柄変動開始用ゲート１９を遊技球が通過することによって発生する普通図柄の変動を、最高４回普通図柄用保留球数として記憶し、普通図柄の変動開始により普通図柄用保留球数を減らすようになっている。さらにまた、前記左袖入賞口２３と右袖入賞口２５の入賞球を検出する左袖入賞口用検出スイッチと右袖入賞口用検出スイッチ、前記左落とし入賞口２７と右落とし入賞口２９の入賞球を検出する左落とし入賞口用検出スイッチと右落とし入賞口用検出スイッチが、それぞれ対応する遊技盤背面に設けられている。
【００２９】
前記大入賞口１５は、前記遊技盤３の背面に設けられた大入賞口開放用ソレノイドによって開閉する開閉板１６を備えている。この大入賞口１５は、通常は開閉板１６が閉じた状態とされ、当該大入賞口１５内の一部には、該大入賞口１５が開いた際に開口して入賞可能にする特定領域入賞口５２を有する。さらに、該特定領域入賞口５２には、所定条件時に特定領域開放用ソレノイドにより開閉される開閉扉が設けられている。また、前記特定領域入賞口５２には特定入賞球を検出する特定入賞球検出スイッチ（特定領域センサ）が設けられ、該入賞球の検出により大入賞口１５を再度開ける継続権利が成立し、本実施例では最高１０ラウンド繰り返し可能にされている。また、前記大入賞口１５内の略中央には、大入賞口１５に入賞し、かつ前記特定領域入賞口５２に入賞しなかった入賞球を検出する入賞球数カウントスイッチ（カウントセンサ）が設けられている。
【００３０】
遊技を制御するための複数の制御装置や球の誘導装置等は、図２に示すように、前記機構板Ｆ２の背面に設けられている。制御基板の主なものとして、主制御基板２００、サブ制御基板２０５、表示制御基板２１０、音声制御基板２２０、ランプ制御基板２３０、払出制御基板２４０、電源基板２５０、発射制御基板２６０等が示されている。符号２６５は外部端子、２８１は払出装置（賞球払出装置と貸球払出装置）、２８９は遊技店からの遊技球を貯める球貯留タンク、２９１は球貯留タンク２８９から払出装置２８１へ供給する球誘導樋を示す。なお各制御基板および基板には制御回路が設けられている。各制御基板等はそれぞれ、あるいは複数まとめてケース体に収容され、さらに一部の制御基板およびケース体は、図３に示すようにカバー体２００Ａで背面側が覆われている。
【００３１】
主制御基板２００は、ＣＰＵ，ＲＡＭ，ＲＯＭ，複数のカウンタを備えたワンチップマイクロコンピュータを備え、遊技に関わる主制御を行う。前記ＣＰＵは、制御部，演算部，各種カウンタ，各種レジスタ，各種フラグ等を備え、演算制御を行う他、大当たりや小当たり（下側始動入賞口１０の拡開開放を行う普通図柄当たり）に関する乱数等も生成し、また前記各基板にコマンド（制御信号）を出力（送信）可能に構成されている。前記ＲＡＭは、始動入賞口検出スイッチで検出された前記特別図柄用保留球数及び普通図柄変動開始スイッチで検出された普通図柄用保留球数の記憶領域、ＣＰＵで生成される各種乱数値用の記憶領域、各種データを一時的に記憶する記憶領域やフラグ、ＣＰＵの作業領域を備える。また、前記ＲＯＭには、遊技上の制御プログラムや制御データが書き込まれている他、大当たり及び小当たりの判定値、前記特別図柄表示装置８における画像の変動表示態様として複数の変動パターン等が書き込まれている。なお、前記主制御基板２００は、遊技の当否を判定する当否判定手段としても機能する。
【００３２】
サブ制御基板２０５は、前記主制御基板２００から送信されたコマンドを受信し、表示制御基板２１０へコマンドを送信する。前記サブ制御基板２０５が備える副チップマイクロコンピュータは、サブ処理用のプログラムをＲＯＭから読み出して実行する。
【００３３】
表示制御基板２１０は、画像の制御を行う。前記表示制御基板２１０は、前記サブ制御基板２０５からのコマンドに基づきＣＰＵが制御データＲＯＭから所定の表示制御データを読み出し、制御データＲＡＭの記憶領域で制御用データを生成してＶＤＰに出力する。ＶＤＰは、ＣＰＵからの指令に基づいて画像データＲＯＭから必要なデータを読み出し、表示画像における特別図柄、演出図柄、背景画像、キャラクタ画像、文字画像等のマップデータを作成し、ＶＲＡＭに格納する。ＶＲＡＭに格納記憶された画像データは、出力回路に備えるＤ／Ａ変換回路にてＲＧＢ信号に変換されて特別図柄表示装置８および普通図柄表示装置４５に出力される。
【００３４】
音声制御基板２２０は、前記サブ制御基板２０５からのコマンドに基づいて、コマンドを受信して前記スピーカ３８から発する音声を制御する。
【００３５】
ランプ制御基板２３０は、前記サブ制御基板２０５からのコマンドに基づいて前記ランプ装置の発光制御を行う。
【００３６】
払出制御基板２４０は、前記主制御基板２００から出力されるコマンドを受信して前記払出装置（賞球及び貸球払出装置）２８１を制御する。なお、前記払出装置２８１への遊技球の供給は、前記球貯留タンク２８９に貯留された遊技球が前記球誘導樋２９１を通り、球供給樋（図示せず）を経て行われる。前記払出装置２８１は、払出モータが回転することにより、回転球受け体（例えばスクリュー形式のもの）を回動し、回転球受け体の球受部に受け入れた遊技球を回転球受体の回転により球送りして１球ずつ排出する公知のものである。
【００３７】
また、発射制御基板２６０は、発射装置５３における発射モータの制御を行う。
【００３８】
前記発射装置５３は、図４〜図６に示すように弾球遊技機１の右下に設けられている。図７は図６のＡ−Ａ断面図である。前記発射装置５３は発射装置本体部５５と操作レバー５４よりなる。前記発射装置本体部５５は前記前面枠体Ｆ３に取り付けられ、また、前記操作レバー５４の取付部周辺は装飾部材Ｆ５で前面枠体Ｆ３が覆われ、装飾性が高められている。前記装飾部材Ｆ５には操作レバー装着孔４１が形成され、前記操作レバー装着孔４１に前記操作レバー５４が回転可能に装着される。前記操作レバー５４は、遊技者による握り部５４１と握り部５４１の背面側から発射装置本体部５５側へ突出した軸部５４２を備え、前記握り部５４１と共に軸部５４２が一緒に回転する。
【００３９】
前記発射装置本体部５５は、図８〜図１３に示すように、前面枠体Ｆ３の前面に重ねてネジ等で取り付けられる板状のベース部材５５２に発射レール６２１、槌部材５７１、球供給装置６０１等の複数の部品が取り付けられて構成されている。前記ベース部材５５２の前面右下には操作レバー５４の軸部５４２を挿通保持する軸部保持筒部５５３が取り付けられている。前記軸部保持筒部５５３に挿通された前記軸部５４２の先端は、図１１に示すように、前記ベース部材５５２の裏面側（背面側）から突出し、巻き取りプーリー５５４が取り付けられている。前記巻き取りプーリー５５４は、前記操作レバー５４と共に回転する。
【００４０】
前記軸部保持筒部５５３の側方にはベース部材５５２の前面側に槌部材５７１が揺動可能に軸着されている。前記槌部材５７１は、遊技球を打つ上部先端が鈎型に屈曲した略Ｌ字状からなり、前記ベース部材５５２の前面と平行に上方斜めに取り付けられている。前記槌部材５７１における先端には遊技球を弾発するための打撃スプリング５７１Ｓが取り付けられている。前記槌部材５７１の基部の軸部５７２は、前記ベース部材５５２の裏側へ貫通している。前記槌部材５７１の基部の軸部５７２には、前記ベース部材５５２の裏側において円盤状の第１回動体５７３と第２回動体５７５が前後に重なるように取り付けられている。
【００４１】
前記第１回動体５７３は、中心に前記槌部材５７１の基部の軸部５７２が回動可能に貫通した円盤状からなって、前記槌部材５７１の軸部５７２の周囲を回動可能とされている。前記第１回動体５７３の外周の一部と前記巻き取りプーリー５５４の外周の一部間にワイヤＷが張設され、前記操作レバー５４が遊技者によって一方向へ回転されて前記巻き取りプーリー５５４が同方向へ回転すると前記ワイヤＷが巻き取りプーリー５５４によって巻き取られ、それによって前記第１回動体５７３が回動するように構成されている。
【００４２】
一方、前記第２回動体５７５は前記槌部材５７１の軸部５７２の先端側に固定されて前記槌部材５７１と共に可動とされている。前記第２可動体５７５は、前記第１回動体５７３の裏側に所定間隔おいて重なる位置にあり、前記第１可動体５７３との間に捻りコイルバネ５７４が設けられている（図９に示す）。前記捻りコイルバネ５７４は、一端が前記第１回動体５７３に係止され、他端が前記第２回動体５７５に係止されて、前記槌部材５７１を発射レール６２１側へ常時付勢している。また、前記操作レバー５４が遊技者により一方向へ回転された場合には、前記巻き取りプーリー５５４が同方向へ回転して前記ワイヤＷが巻き取りプーリー５５４によって巻き取られ、それによって前記第１回動体５７３が回動し、前記第１回動体５７３に一端が係止されている前記捻りコイルバネ５７４の巻きが強くなって、前記第２回動体５７５と連結している前記槌部材５７１を発射レール６２１側へ付勢する力が大きくなる。なお、図６および図１２に示すように、前記ベース部材５５２の前面には、前記槌部材５７１のためのゴム製ストッパーＳ１が取り付けられている。前記ストッパーＳ１は、遊技球発射時に前記槌部材５７１がストッパーＳ１に当たってそれ以上発射レール６２１へ接近しないようにし、発射レール６２１と槌部材５７１の衝突を防ぐものである。
【００４３】
図１１に示すように、前記第２回動体５７５の外周にはトルクアーム５７６が突出して形成されている。前記トルクアーム５７６からベース部材５５２へ向けて摺接ボス５７７が突設されている。前記第1回動体５７３および第２回動体５７５の隣には打撃用歯車５７９がベース部材５５２の裏側に回転可能に軸着されている。前記打撃用歯車５７９の裏側（遊技機背面側）には打撃用カム５６０が設けられている。前記打撃用カム５６０は、前記打撃用歯車５７９の回転方向に膨らんだ円弧状からなり、前記打撃用歯車５７９の回転時に前記トルクアーム５７６の摺接ボス５７７と打撃用カム５６０の円弧面が接触して前記トルクアーム５７６および第２回動体５７５を前記捻りコイルバネ５７４に抗して回動させ、前記第２回動体５７５に固定されている前記槌部材５７１の先端側を前記発射レール６２１の端部からコイルバネ５７４に抗して遠ざける方向へ揺動させる。前記摺接ボス５７７が前記打撃用カム５６０の先端に到達するまで、前記槌部材５７１は先端側が前記発射レール６２１の端部から遠ざかる方向へ揺動し、その間、前記槌部材５７１には前記捻りコイルバネ５７４による前記発射レール６２１側へ戻る力が働く。さらに前記打撃用歯車５７９が回転すると、前記打撃用カム５６０の先端が前記トルクアーム５７６の摺接ボス５７７から外れ、前記トルクアーム５７６と第２回動体５７５および前記槌部材５７１が前記コイルバネ５７４の戻る力により逆方向へ急回動し、前記槌部材５７１の先端が発射レール６２１の端部上の遊技球を弾発発射させる。
【００４４】
前記打撃用歯車５７９と噛み合う連動歯車５６１が前記ベース部材５５２の裏側に回転可能に取り付けられている。前記連動歯車５６１は、前記ベース部材５５２の前面側に取り付けられた発射モータＭの回転軸に取り付けられている駆動歯車５６２と噛み合い、発射モータＭの駆動により回転するように構成されている。前記発射モータＭの駆動により、前記駆動歯車５６２、連動歯車５６１、打撃用歯車５７９、打撃用カム５６０、トルクアーム５７６、第２回動体５７５が回動し、前記第２回動体５７５に固定されている槌部材５７１が揺動して遊技球を発射させる。
【００４５】
また、前記ベース部材５５２の裏側には、前記連動歯車５６１と噛み合う球供給用歯車６０２が前記打撃用歯車５６２とは反対側に軸着されて回転可能になっている。前記球供給用歯車６０２の裏側（遊技機背面側）には球供給用カム６０３が設けられている。前記球供給用カム６０３は、前記球供給用歯車６０２の回転方向に膨らんだ円弧状からなる。前記球供給用歯車６０２、球供給用カム６０３および後述の球供給ケース６０５は球供給装置６０１の構成部材である。
【００４６】
前記球供給用歯車６０２とは略反対の前記ベース部材５５２の前側には、図４および図１２に示すように、前記発射レール６２１を覆って透明な球供給ケース６０５が取り付けられている。前記球供給ケース６０５内には、前記上側球受け皿３６からの遊技球を球送り揺動部材６０７へ誘導する球送り誘導流路６０６が右下向きに形成されている。前記球送り揺動部材６０７は、右端側において前記球供給ケース６０５内に軸支されて球送り誘導流路６０６と対向する左側を上下に揺動可能とされている。前記球送り揺動部材６０７は、略扇形形状とされて前記球送り誘導流路６０６を向く左端側が拡大し、前記左端面に遊技球を１個受けることが可能な球受け凹部６０８が形成されている。前記球受け凹部６０８は、前記球送り揺動部材６０７が上方へ揺動した際に前記球送り誘導流路６０６の下端と通じ、前記球送り誘導流路６０６からの遊技球を１個収容保持し、次に下方へ揺動した際に球受け凹部６０８の遊技球を下方へ放出する。前記球供給ケース６０５は、前記ベース部材５５２の前面と平行な裏面を備え、前記裏面には前記球送り揺動部材６０７が下方へ揺動した際の球受け凹部６０８の開放側の位置に、前記発射レール６２１への球出口（図示せず）が形成されている。なお、前記球受け凹部６０８は、側面（遊技機の前後方向）が開放されているとともに、遊技球を保持する凹部下面が前記球出口（図示せず）へ向けて傾斜しており、前記球受け凹部６０８から遊技球が球出口を通って発射レール６２１上へ遊技球が流動可能となっている。また、前記球送り揺動部材６０７は、下方へ揺動した際には、前記球受け凹部６０８よりも上方の左端面が前記球送り誘導流路６０６の下端と対向して球送り誘導流路６０６下端の遊技球を停止保持する。
【００４７】
前記球送り揺動部材６０７の上部には摺動突部６０９が裏側に突出形成されている。前記摺動突部６０９は、前記球供給ケース６０５の裏面に形成された開口部６１０および前記ベース部材５５２に形成された開口部５５５（図１１に示す）を通って、前記ベース部材５５２の裏側に突出しており、前記球供給用歯車６０２の回転時に球供給用カム６０３の円弧面と接触して押し上げられ、それによって球送り揺動部材６０７が上方へ揺動する。前記球供給用カム６０３の先端で前記摺動突部６０９が押し上げられた時に、前記球送り揺動部材６０７は左端が最も上方位置となり、前記球送り誘導流路６０６からの遊技球を１個、前記球受け凹部６０８に収容保持する。さらに、前記球供給用歯車６０２が回転し、前記球供給用カム６０３が前記摺動突部６０９から離れると、前記摺動突部６０９および球送り揺動部材６０７が自重で下方へ揺動し、前記球受け凹部６０８の遊技球が前記ベース部材５５２における発射レールへの球出口（図示せず）を通って発射レール６２１上へ供給される。前記発射レール６２１上へ供給された遊技球は、前記発射レール６２１上を槌部材５７１へ向けて流下し、発射レール６２１の下端上方に設けられた球停止部材６１９と遊技球の上部で接触して発射位置に停止する。
【００４８】
図１２に示すように、前記球供給ケース６０５における球送り誘導流路６０６の下面は、球抜き揺動部材６１１によって開放および閉鎖可能となっている。前記球抜き揺動部材６１１は上部が鈎状に屈曲したＬ字状からなり、下部で前記球供給ケース６０５に軸支されている。前記球抜き揺動部材６１１は、スプリング６１２によって前記球送り誘導流路６０６の下面を閉鎖するように付勢され、前記閉鎖によって球送り誘導流路６０６の遊技球が球送り揺動部材６０７へ流動可能となる。一方、遊技機前面の球抜きボタン１８の操作により前記球抜き揺動部材６１１を揺動させると、前記球送り誘導流路６０６の下面が開放され、前記球送り誘導流路６０６および上側球受け皿３６の遊技球が前記下側球受け皿３７へ排出可能となる。
【００４９】
前記発射レール６２１は、図９および図１０に示すように、下部前側側壁６２２、下部裏側側壁６２４および上面６２６とからなる略Ｍ字形の横断面形状をしており、前記上面６２６には遊技球を保持可能な溝部６２７が発射レール６２１の長さ方向に沿って後端から先端まで形成されている。前記上面６２６の溝部６２７は遊技球が１球分通過可能な溝幅を有するＶ字形の横断面からなり、直線状平面の前側壁部６２８と後側壁部６２９が溝幅方向に略Ｖ字状に配置されて溝上を遊技球が転動可能とされ、前側壁部６２８および後側壁部６２９が発射レール６２１上の遊技球と点接触するように構成されている。なお、前記発射レール６２１において前側は、弾球遊技機１の前面側（遊技者側）に位置する側を言い、一方、後側および裏側は、弾球遊技機１の裏面側（背面側）に位置する側を言う。本実施例において、遊技球の直径は１１ｍｍ、前記発射レール６２１の溝幅は１２．５ｍｍであり、溝幅が遊技球の球形より若干大きくされている。略Ｖ字形の溝部６２７は、深さが２．５ｍｍとなっている。前記溝部６２７を略Ｖ字形とすることで遊技球の接地面を小さく保ったまま、発射レール６２１の幅方向に対して遊技球を保持することが可能となる。
【００５０】
前記発射レール６２１は、槌部材５７１とは反対側の先端６２１Ａを左斜め上方の前記遊技球誘導レール４Ａの下部へ向けて斜め上向きにすると共に、下方の後端６２１Ｂについては後端６２１Ｂ上の遊技球を前記槌部材５７１の先端が弾発可能となる位置にして、幅方向の一側、本実施例では下部裏側側壁６２４が前記ベース部材５５２の前面側に固定されることにより、ベース部材５５２に取り付けられている。前記発射レール６２１の傾斜により、前記溝部６２７の先端面はＶ字形の下端６２７Ａが上部６２７Ｂよりも前記遊技球誘導レール４Ａ側へ突出した傾斜状態となっている。また、図６に示すように前記発射レール６２１の先端（すなわち本実施例では溝部６２７の先端）６２１Ａは、前記ベース部材５５２の左側の縁５５２Ａよりも内側（右側）に位置している。
【００５１】
図６に示すように、前記前面枠体Ｆ３の前面には前記遊技盤３の遊技球誘導レール４Ａの下端と前記発射レール６２１間に流路部材６５０がネジ等で取り付けられている。前記流路部材６５０は、図８の裏側斜視図および図９の上面図に示すように、前記枠体Ｆ３における流路部材取付面Ｆ３Ａと対向する対向面６５１を有する。
【００５２】
前記対向面６５１は、前記前面枠体Ｆ３の流路部材取付面Ｆ３Ａから少なくとも遊技球１球分離れて位置し、上部における流路部材取付面Ｆ３Ａとの間が開口して２つの回収口６６１Ａ，６６１Ｂを構成している。発射装置側の回収口６６１Ａは、前記発射装置５３から発射された遊技球のうち前記遊技領域６へ到達することなく前記遊技球誘導レール４Ａから前記発射装置５３側へ向けて転動し、戻ってくる遊技球に勢いが無く、発射装置側の回収口６６１Ａを飛び越せずに落下する遊技球を回収可能になっている。一方、前記発射装置５３から離れた回収口６６１Ｂは、前記遊技球誘導レール４Ａを伝って戻ってきた遊技球を回収可能となっている。前記回収口６６１Ａ，６６１Ｂの下方は前記上側球受け皿３６と通じ、前記回収口６６１Ａ，６６１Ｂ内に回収された遊技球が、前記下側球受け皿３７に排出されるように構成されている。
【００５３】
また、前記流路部材６５０は、前記回収口６６１Ａ，６６１Ｂ内への遊技球の流路および回収口６６１Ａ，６６１Ｂに進入した遊技球の流路Ｒ１を形成するものでもある。前記対向面６５１には、流路用リブ６５２，６５３，６５４，６５５が前記前面枠体Ｆ３の流路部材取付面Ｆ３Ａへ向けて形成されている。前記流路Ｒ１は、前記回収口６６１Ａ，６６１Ｂ内に進入した遊技球を下方の下側球受け皿用出口６６６へスムーズに誘導するものであり、前記前面枠体Ｆ３における流路部材取付面Ｆ３Ａと前記流路部材６５０の対向面６５１とを前記流路Ｒ１の側壁とする樋状とされ、前記流路用リブ６５２，６５３，６５４，６５５が前記流路Ｒ１の側壁間の底面等を構成する。
【００５４】
さらに、前記流路部材６５０には、防球壁６６７が形成されている。前記遊技球誘導レール４Ａから戻ってくる遊技球は、前記遊技球誘導レール４Ａのどの位置から戻ってくるかによって遊技球の勢いが異なり、最高位置（遊技領域６の直前位置）から戻ってくる遊技球はかなりの速度となっているため、前記発射装置側の回収口６６１Ａをほぼ飛び越す位置に到達する遊技球もあり、さらに戻ってきた遊技球と発射された遊技球が衝突して発射レール６２１に遊技球が衝突する可能性もある。前記防球壁６６７は、前記遊技球誘導レール４Ａから発射装置５３側へ向けて転動してくる遊技球が、前記回収口６６１Ａ，６６１Ｂを跳び越えて発射レール６２１の先端６２１Ａに衝突しようとする場合や、戻ってくる遊技球と発射された遊技球が衝突した場合に、前記発射レール６２１の先端６２１Ａにおける遊技球位置（発射レール６２１の先端６２１Ａにおける遊技球の下端位置）Ｐ１ａよりも下方の発射レール６２１の部分に衝突するのを防ぐものである。本実施例では、前記防球壁６６７は前記流路部材６５０の対向面６５１左端裏面側に、上下方向に形成された下部保護壁６６８と前記下部保護壁６６８の上端から前記発射レール６２１の先端６２１Ａへ向けて傾斜して形成された上部保護壁６６９とからなる。
【００５５】
前記下部保護壁６６８は、前記発射レール６２１の溝部先端よりも下方に遊技球が当たるのを防止して保護するものである。前記下部保護壁６６８は、前記発射レール６２１から間隔を開けて（発射レール６２１から離して）設けられ、かつ上端６６８Ａが前記発射レール６２１の溝部先端よりも下方に位置している。この構成により、前記下部保護壁６６８に遊技球が衝突した際の衝撃を和らげ、前記発射レール６２１への損傷を低減することが可能となる。
【００５６】
前記上部保護壁６６９は、上端（先端）６６９Ａが前記発射レール６２１の先端６２１Ａに略接するようにして、前記下部保護壁６６９の上端６６８Ａから斜め上向きに形成されている。この構成により、前記遊技球誘導レール４Ａから、前記発射レール６２１の先端６２１Ａにおける遊技球位置（遊技球の下端位置）Ｐ１ａ付近へ向けて飛んでくる遊技球を、前記上部保護壁６６９に衝突させて発射レール６２１とは反対側へ跳ね返して、前記発射レール６２１の先端６２１Ａの遊技球位置付近に衝突するのを低減させることが可能となる。なお、前記上部保護壁６６９に遊技球が衝突した際に発射レール６２１の先端６２１Ａに伝わる衝撃をより緩和するには、前記上部保護壁６６９の先端６６９Ａを前記発射レール６２１の先端６２１Ａから僅かに離すのが好ましい。また、前記上部保護壁６６９の上端６６９Ａは、遊技球が前記発射レール６２１上を発射レールの先端６２１Ａへ向けて転動する際における遊技球の最下端部の軌跡Ｌの延長上の位置またはそれより下方に位置している。この構成により、発射レールから発射された遊技球が上部保護壁６６９の上端６６９Ａと接触するのを防ぎ、遊技球の発射が妨げられることがない。
【００５７】
前記防球壁６６７は、前記遊技球誘導レール４Ａから前記発射装置６３側へ向けて転動してくる遊技球を前記回収口６６１内へ誘導する流路Ｒ１の壁部の一部を兼ねている。すなわち、前記防球壁６６７に当たった遊技球は、前記上部保護壁６６９あるいは下部保護壁６６８に沿って流下することにより回収口６６１内に誘導される。前記下部保護壁６６８と前記流路用リブ６５２の下端との間は、遊技球の少なくとも一球分が通過可能な隙間６７０を構成し、前記隙間６７０を通って遊技球が下側球受け皿用出口６６６へ転動可能となっている。
【００５８】
前記発射レール６２１の先端６２１Ａにおける６３１ａ，６３１ｂは、前記槌部材５７１により発射された遊技球が、前記発射レール６２１の溝部６２７を先端へ向けて転動する際に、前側壁部６２８および後側壁部６２９における遊技球との接触部位６３１Ａ，６３１Ｂの先端位置を示す。前記前側壁部６２８の接触部位６３１Ａは発射レール６２１における対向面６５１側の接触部位であり、一方、前記後側壁部６２９の接触部位６３１Ｂはベース部材５５２側の接触部位である。なお、本実施例では前記発射レール６２１の接触部位６３１Ａ，６３１Ｂは、遊技球の転動時の変位も考慮して、遊技球が前記略Ｖ字形の溝部６２７に静置された際に、溝部６２７の上面と遊技球の表面とのクリアランス（隙間）が０．１〜０．１５ｍｍ程度となるところまでの幅を有するものとされ、溝部６２７の長さ方向に沿って帯状に設定されている。
【００５９】
また、図９に示すように、遊技球Ｐが前記ベース部材５５２の左側の縁５５２Ａと前記発射レール６２１の先端６２１Ａ間に位置して前記発射レール６２１の先端６２１Ａと接触するときに、遊技球Ｐの両側に前記ベース部材５５２と前記流路部材６５０の対向面６５１が位置するように構成されている。本実施例では、前記流路部材６５０の対向面６５１の右端部分６５１Ａ（図８にも示す）が、前記ベース部材５５２の左側の縁５５２Ａと遊技機の前後方向に対向するようにして位置し、前記ベース部材５５２の左端部分が遊技球Ｐの略右半分後面側と対向し、前記流路部材６５０の対向面６５１の右端部分が遊技球Ｐの前面側と対向し、これによって前記発射レール６２１の幅方向に沿う遊技球Ｐの位置を規制している。前記ベース部材５５２と前記流路部材６５０の対向面６５１は、前記発射レール６２１の先端６２１Ａにおける遊技球Ｐとの接触位置が、前記溝部６２７の前側壁部６２８と後側壁部６２９における遊技球との接触部位６３１Ａ，６３１Ｂの延長上の位置とならないように遊技球の位置を規制するよう配置されている。詳細には、前記ベース部材５５２に遊技球が当接し、さらに前記発射レール６２１の先端部と当接している場合には、遊技球はベース部材５５２側の接触部位６３１Ｂと対向面６５１側の接触部位６３１Ａとの間の位置において発射レール６２１の先端部と当接し、これ以上ベース部材５５２側に遊技球が移動することがないことから、ベース部材５５２側の接触部位６３１Ｂの延長線上の発射レール６２１の先端（すなわち前記接触部位６３１Ｂの先端６３１ｂ）と遊技球が当接することがない。また、前記対向面６５１と遊技球が当接し、さらに発射レール６２１の先端部と当接している場合には、遊技球はベース部材５５２側の接触部位６３１Ｂと対向面６５１側の接触部位６３１Ａとの間の位置において発射レール６２１の先端部と当接し、これ以上対向面６５１側に遊技球が移動することはないことから、対向面６５１側の接触部位６３１Ａの延長線上の発射レール６２１の先端（すなわち前記接触部位６３１Ａの先端６３１Ａ）と遊技球が当接することはない。これにより、遊技球は対向面６５１側の接触部位６３１Ａとベース部材５５２側の接触部位６３１Ｂとの間に遊技球が当たる可能性がある位置を規制することができる構成となっている。
【００６０】
このように構成したことにより、遊技球の発射時に発射レール６２１の先端６２１Ａにおいて遊技球が接触する溝部の部分に、前記遊技球誘導レール４Ａから戻ってくる遊技球Ｐが衝突することによって生じるバリや歪みを生じるのを抑えることができ、発射された遊技球が発射レール６２１先端のバリ等と干渉して安定した遊技球の発射が損なわれる不具合を防止することが可能となる。
【００６１】
ここで前記弾球遊技機１における遊技について簡略に説明する。前記弾球遊技機１においては、前記遊技領域６へ向けて前記発射装置５３により発射された遊技球が、前記種々の入賞口に入賞すると入賞口に応じた所定数の遊技球が賞球として上側球受け皿３６に払い出される。また、前記普通図柄変動開始用ゲート１９を遊技球が通過すると、小当たり判定・普通図柄決定用乱数値が取得され、その取得乱数値に基づいて普通図柄の当たり（小当たり）判定が行われ、前記普通図柄表示装置４５で普通図柄が変動を開始し、所定時間変動後に停止する。その際、前記普通図柄の当たり判定結果が小当たりの場合には、小当たり普通図柄、この例では奇数で停止し、前記下側始動入賞口１０の２つの可動片１０ａ，１０ｂが背面の始動入賞口用ソレノイドによって略垂直で入賞し難い狭小開放状態（通常状態）から略Ｖ字形（逆ハの字形）の入賞し易い拡開開放状態に変化し、遊技球が入賞し易くなる。そして、前記下側始動入賞口１０に遊技球が入賞すると、所定数の遊技球が賞球として払い出される。
【００６２】
また、前記上側始動入賞口９および下側始動入賞口１０に遊技球が入賞すると、大当たり当否判定用乱数値及び大当たり確定特別図柄の組合せ決定用大当たり図柄乱数値が取得され、前記取得された大当たり当否判定用乱数値に基づいて大当たりの当否判定が行われ、前記特別図柄表示装置８で特別図柄が変動を開始し、所定時間変動後に停止する。
【００６３】
前記大当たりの当否判定結果が大当たりの場合には、前記特別図柄表示装置８に大当たり確定特別図柄組合せ、この例では『１，１，１』（いわゆる‘１’のぞろ目）や『２，２，２』（いわゆる‘２’のぞろ目）等、同一数字の組合せ）で停止表示され、遊技者に有利な大当たり遊技（特別遊技）に移行する。前記特別遊技状態になると、前記大入賞口１５の開閉板１６が開いて遊技領域６の表面を落下してくる遊技球を受け止め易くして、大入賞口１５へ入賞可能にし、該大入賞口１５への入賞があると、所定数の遊技球が賞球として払い出される。前記開閉板１６は、所定時間（例えば２９．５秒）経過後、或いは入賞球数が所定個数（例えば１０個）となった時点で閉じるようにされている。また、前記大入賞口１５の開放中又は大入賞口１５が閉じてから約２秒以内に、大入賞口内の特定領域入賞口５２への入賞球が検出されると、前記大当たりを再度繰り返す継続権利が発生し、所定最高回数（例えば最高１０回）、前記開閉板１６の開放を繰り返すようになっている。
【００６４】
なお、本発明は、前記の実施例に限定されず、発明の趣旨を逸脱しない範囲で変更可能である。
【符号の説明】
【００６５】
１    弾球遊技機
３    遊技盤
４Ａ  遊技球誘導レール
８    特別図柄表示装置
５３    発射装置
５５２    ベース部材
５７１    槌部材
６２１    発射レール
６２１Ｂ  発射レール先端の遊技球保持位置
６２７    溝部
６２８    前側壁部
６２９    後側壁部
６５０    流路部材
６５１    対向面
６６１Ａ，６６１Ｂ  回収口
６６７    防球壁
６６８    下部保護壁
６６９    上部保護壁
Ｆ３    前面枠体
Ｆ３Ａ  前面枠体の流路部材取付面
【図１】
2010051833.tif 000003
【図２】
2010051833.tif 000004
【図３】
2010051833.tif 000005
【図４】
2010051833.tif 000006
【図５】
2010051833.tif 000007
【図６】
2010051833.tif 000008
【図７】
2010051833.tif 000009
【図８】
2010051833.tif 000010
【図９】
2010051833.tif 000011
【図１０】
2010051833.tif 000012
【図１１】
2010051833.tif 000013
【図１２】
2010051833.tif 000014
【図１３】
2010051833.tif 000015